(57)【要約】      （修正有）【課題】通常よりも少ない費用で、使い初めから最後まで、常に消しやすい新品に近い大きさの、そして、常に消しやすい新品に近い形の消しゴムを提供する。【解決手段】消しゴム１にプラスチック等の消しゴムの機能をもたないもの、例えばプラスチック２を、消しゴム器の嵩、容積を増すため、付け加える。【選択図】図２
2006001260.tif 000002
【特許請求の範囲】
【請求項１】
消しゴムの節約のため、通常的に使用可能な最小に近い大きさの三角柱、四角柱等に区切った消しゴム（１）に、プラスチック等の消しゴムの機能をもたないもの、棒（２）を、接着面のサイズ、形を合わせて、消しゴムの嵩、容積を増すため、接着する、節約型消しゴム器。
【請求項２】
消しゴム器をなくさないよう、消しゴム（１）に付け加えるプラスチック等の棒（２）の内部と、その外側にあるケース、すなわちプラスチック等の側面のみの箱（３）に穴（１０、１１）を開け、紐（１２）を通し、鉛筆、筆箱等に結びつけた、節約型消しゴム器。
【請求項３】
通常的に使用可能な最小に近い大きさの三角柱、四角柱等に区切った消しゴム（１）複数と、それと接着面のサイズ、形を合わせた、ストッパーとしての凸（４）凹（５）を互い違いに備えた複数のプラスチック等の棒（２）複数を、消しゴム（１）とプラスチック等の棒（２）の形でひとつづつ接着し、その上から、これもストッパーとしての凸（４）凹（５）を互い違いに備えたケース、すなわちプラスチック等の側面のみの箱（３）で、出来上がった大きな消しゴム器を包み、全部で一つの消しゴムとする、節約型消しゴム器。
【請求項４】
プラスチック等の棒（２）の両側は弧を描く形、半球形の一部（６）として、消しゴム（１）を接着し、その、半球形の一部（６）には、所々に消しゴム（１）との接着を助けるべく、突起（９）を用意する、節約型消しゴム器。
【請求項５】
消しゴム（１）を２色にして、使用しつづけた際、消しゴム（１）の終わりを消しゴム（８）の色の変化によって使用者に知らせ得る、節約型消しゴム器。
【発明の詳細な説明】
【技術分野】
【０００１】  本発明は、消しゴムの節約のため、消しゴムにプラスチック等の消しゴムの機能をもたないものを、消しゴムの嵩、容積を増すため、付け加える技術と、消しゴムの使い易さのため、一つの消しゴムを消す面に対して垂直に縦切りし、一つの消しゴム（１）に通常８つある消しゴムの角をより多くする技術に関するものである。
【背景技術】
【０００２】  近年、消しゴムも化学の発展により性能が良くなり、また何種類もの分野別専門消しゴムが登場してきている。
しかし、物理的にこの「消しゴム」を視ると、書いてある何かをを消すさいの「消しゴム」自身の「サイズ」の問題に到達する。
これは、どんな消しゴムも製品になった初めの状態、すなわち、新品のさいには、当然ながらもっとも消しやすく使い勝手が良いが、その後良く使ってサイズが半分や三分の一になったとき、基のサイズにもよるが、もはや、同様の使い勝手はその消しゴムに望み得ない、すなわち、小さすぎて使い難い状態に陥ってしまう。
【発明が解決しようとする課題】
【０００３】  消しゴムを買って使っても、その使い勝手が保たれるのは概ねそのサイズが半分か三分の一になるまで、これは、消しゴムが比較的安価で、また、なくしやすい事を考えても、ひとつの欠点といえる。
本発明は、この欠点を解決するためになされたものである。
【課題を解決するための手段】
【０００４】  消しゴムの節約のため、消しゴムにプラスチック等の消しゴムの機能をもたないもの、例えばプラスチックを、消しゴム器の嵩、容積を増すため、付け加える。
また、消しゴム器をなくさないよう、内部と、その外側にあるプラスチック等の側面のみの箱（３）に穴（１０、１１）を開け紐（１２）を通し、鉛筆、筆箱等に結びつける例も考えられる。
【０００５】  消しゴム（１）を通常的に使用可能な最小に近い大きさの三角柱、四角柱等に区切る。
もちろん、場合によって必要な大きさが変わるときは、それぞれの大きさ別に区切っておく。
三角柱、四角柱等の上面及び底面の形は、正三角形、二等辺三角形、直角三角形、平行四辺形、ひし形、長方形、正方形などが考えられる。
【０００６】  その消しゴム（１）と接着面のサイズ、形を合わせたプラスチック等の棒（２）を、ストッパーとしての凸（４）凹（５）を互い違いに備えて、複数用意する。
その上から、これもストッパーとしての凸（４）凹（５）を互い違いに備えたケース、すなわちプラスチック等の側面のみの箱（３）で、出来上がった大きな消しゴム器を包む。
すなわち、三個以上の凹（５）をすべてのストッパーをもつ棒にそなえ、反対面には、そのうち両サイドを除いて、一個以上の凸（４）を用意する。
図１、２では、４個の凹（５）をそなえ、両サイドを除いて、反対面の中央に二個の凸（４）を用意している。
【０００７】  そして、消しゴム（１）を使用する際、消しゴム（１）の後の部分を押すと、片面で凸（４）の部分が従来の凹（５）から一つ前の凹（５）に前進し、反対面では逆に後退し、その結果、消しゴム（１）が、ケース、すなわちプラスチック等の側面のみの箱（３）からあらわれ、消しゴム（１）として利用できる状態となる。
【０００８】  図１、２では、図の上側に凹（５）、下側に凸（４）を配置したが、その逆でも、またプラスチック等の棒（２）を両面に、凸（４）をもつタイプと凹（５）をもつタイプの二種類を作ってもよい。
この場合、当然ながら消しゴム器を包むケース、すなわちプラスチック等の側面のみの箱（３）の凸（４）凹（５）も、端にくるプラスチック等の棒（２）の逆となる。
また、ここではプラスチック等の棒（２）の向かい合う２面のみストッパーとしての凸（４）凹（５）を設定したが、消しゴム（１）が４角柱の場合、すなわちプラスチック等の棒（２）も４角柱の場合、ストッパー面も４面あってもよい。
【０００９】  プラスチック等の棒（２）の両側は、節約の為、おそらく消しゴムはこう使われるであろうという形、すなわち、弧を描く形、半球形の一部（６）として、消しゴム（１）を接着するようにしてもよい。
その、半球形の一部（６）には、所々に消しゴム（１）との接着を助けるべく、突起（９）を用意する場合も考えられる。
消しゴム（１）と接着したプラスチック等の棒（２）を数本結わえて、一つの大きな、手で握って消す際もっとも適切な大きさの、消しゴム器とする。
消しゴム（１）を２色にして、使用しつづけた際、消しゴム（１）の終わりを消しゴム（８）の色の変化によって使用者に知らせる機能ももつ。
【００１０】  組み合わされる消しゴム（１）は、たとえば、消しクズが集まるタイプと軽い力で消せるタイプ等様々な種類の組合せが考えられる。
本発明は、以上の構成よりなる「節約型消しゴム器」である。
【発明を実施するための最良の形態】
【００１１】  以下、本発明の実施の形態を説明する。
消しゴム器を使う際、幾つかあるサイズのなかから適当なサイズを一つ選んで、その裏側を軽く押し、ストッパーとしての凸（４）が、片面では従来の凹（５）から一つ前の凹（５）に前進し、反対面では逆に後退し、結果、その動きのなかで消しゴム（１）がケースから出てきたところで、消しゴム（１）がもとの器械に戻らないよう軽く握って、消しゴムを使う際はたいてい握るものだが、消す。
消す面積が大きい場合や、消しゴム（１）が鋭角になりすぎて逆に使いにくい場合、二個の区切られた消しゴム（１）を、同時に使う方法もある。
これらの使い方によって、常に消しやすい新品に近い大きさの、そして、常に消しやすい新品に近い形の、すなわち、角のある、消しゴム（１）が使える。
【発明の効果】
【００１２】  本発明品は、全容量の半分以上は安価なプラスチック等の棒（２）で出来ているので、通常よりも少ない費用で、使い初めから最後まで、常に消しやすい新品に近い大きさの、そして、常に消しやすい新品に近い形の消しゴム（１）が得られる。
これは同様に、新品の消しゴム（１）を作るにあたって、本発明では消しゴム（１）の使用料を少なく押さえることが出来るので、より高級な消しゴム（１）を従来とほぼ同じ負担で使い得るとも言える。
【図面の簡単な説明】
【図１】  節約型消しゴム器の収納時に置ける側面斜視図
【図２】  節約型消しゴム器の使用時に置ける側面斜視図
【図３】  二色の消しゴムとプラスチック等の棒の接着面拡大図
【図４】  凸凹面の拡大図
【図５】  上下２０個の消しゴムを備えた節約型消しゴム器の下方図
【図６】  穴を空けそこに紐を通した節約型消しゴム器の側面図
【符号の説明】
１  消しゴム
２  プラスチック等の棒
３  プラスチック等の側面のみの箱、ケース
４  凸
５  凹
６  半球形の一部
７  凸が次に収まる凹を示す→
８  違う色の消しゴム
９  突起
１０  棒に開けた穴
１１  側面のみの箱に開けた穴
１２  紐
【図１】
2006001260.tif 000003
【図２】
2006001260.tif 000004
【図３】
2006001260.tif 000005
【図４】
2006001260.tif 000006
【図５】
2006001260.tif 000007
【図６】
2006001260.tif 000008